(57)【特許請求の範囲】
【請求項１】
筐体と、
上記筐体の中で搬送路に沿って被記録媒体を搬送方向へ搬送する搬送手段と、
上記筐体に設けられ、上記搬送路に詰まった被記録媒体を除去するために用いられる開口と、
上記搬送路より上記開口側に配置されて、上記搬送方向と直交する方向へ延出されたガイド手段と、
上記ガイド手段に沿って移動可能に設けられたキャリッジと、
上記キャリッジに搭載されて、上記搬送路における記録位置において被記録媒体に対して画像を形成する画像形成手段と、
上記キャリッジの移動方向に対する変位検出パターンを有し、上記ガイド手段に沿って配置されて少なくとも一部が上記開口から露出された被検出部材と、
上記キャリッジの移動に伴って上記被検出部材に対して相対移動しつつ、上記変位検出パターンを読み取る検出手段と、
上記被検出部材を保護する保護部材と、を具備し、
上記被検出部材は、上記搬送方向において上記記録位置より上流側又は下流側であり、かつ上記ガイド部材より上記開口側に配置され、
上記保護部材は、上記搬送方向において上記被検出部材より上記記録位置側に配置され、かつ上記搬送方向において上記被検出部材と異なる位置に配置されたものである画像記録装置。
【請求項２】
筐体と、
上記筐体の中で搬送路に沿って被記録媒体を搬送方向へ搬送する搬送手段と、
上記筐体に設けられ、上記搬送路に詰まった被記録媒体を除去するために用いられる開口と、
上記搬送方向と直交する方向へ延出されたガイド手段と、
上記ガイド手段に沿って移動可能に設けられたキャリッジと、
上記キャリッジに搭載されて、上記搬送路における記録位置において被記録媒体に対して画像を形成する画像形成手段と、
上記キャリッジの移動方向に対する変位検出パターンを有し、上記ガイド手段に沿って配置されて少なくとも一部が上記開口から露出された被検出部材と、
上記キャリッジの移動に伴って上記被検出部材に対して相対移動しつつ、上記変位検出パターンを読み取る検出手段と、
上記被検出部材を保護する保護部材と、を具備し、
上記被検出部材は、上記搬送方向において上記記録位置より上流側又は下流側であり、かつ上記開口の外側から筐体の内部側を視たときに上記搬送路より手前側に配置され、
上記保護部材は、上記搬送方向において上記被検出部材より上記記録位置側に配置されており、上記開口の外側から筐体の内部側を視たときに、上記被検出部材と重複しない位置に設けられたものである画像記録装置。
【請求項３】
上記保護部材は、上記被検出部材に接触しない程度に撓むものである請求項１又は２に記載の画像記録装置。
【請求項４】
上記保護部材は、平帯形状の長尺部材であって、その表裏面のいずれか一方を上記開口に対向させ、かつ表裏面の幅方向とほぼ同じ第１方向に間隙を有して上記被検出部材と並列に配置されたものである請求項３に記載の画像記録装置。
【請求項５】
上記保護部材は、透光性を有する素材からなるものである請求項１から４のいずれかに記載の画像記録装置。
【請求項６】
筐体と、
上記筐体の中で搬送路に沿って被記録媒体を搬送方向へ搬送する搬送手段と、
上記筐体に設けられ、上記搬送路に詰まった被記録媒体を除去するために用いられる開口と、
上記搬送方向と直交する方向へ延出されたガイド手段と、
上記ガイド手段に沿って移動可能に設けられたキャリッジと、
上記キャリッジに搭載されて、上記搬送路における記録位置において被記録媒体に対して画像を形成する画像形成手段と、
上記キャリッジの移動方向に対する変位検出パターンを有し、上記ガイド手段に沿って配置されて少なくとも一部が上記開口から露出された被検出部材と、
上記キャリッジの移動に伴って上記被検出部材に対して相対移動しつつ、上記変位検出パターンを読み取る検出手段と、
上記被検出部材を保護する保護部材と、を具備し、
上記被検出部材は、上記搬送方向において上記記録位置より上流側又は下流側であり、かつ上記開口の外側から筐体の内部側を視たときに上記搬送路より手前側に配置され、
上記保護部材は、上記搬送方向において上記被検出部材より上記記録位置側に配置されており、上記被検出部材に接触しない程度に撓む平帯形状の長尺部材であって、その表裏面のいずれか一方を上記開口に対向させ、かつ表裏面の幅方向とほぼ同じ第１方向に間隙を有して上記被検出部材と並列に配置されたものである画像記録装置。
【請求項７】
筐体と、
上記筐体の中で搬送路に沿って被記録媒体を搬送方向へ搬送する搬送手段と、
上記筐体に設けられ、上記搬送路に詰まった被記録媒体を除去するために用いられる開口と、
上記搬送方向と直交する方向へ延出されたガイド手段と、
上記ガイド手段に沿って移動可能に設けられたキャリッジと、
上記キャリッジに搭載されて、上記搬送路における記録位置において被記録媒体に対して画像を形成する画像形成手段と、
上記キャリッジの移動方向に対する変位検出パターンを有し、上記ガイド手段に沿って配置されて少なくとも一部が上記開口から露出された被検出部材と、
上記キャリッジの移動に伴って上記被検出部材に対して相対移動しつつ、上記変位検出パターンを読み取る検出手段と、
上記被検出部材を保護する保護部材と、を具備し、
上記被検出部材は、上記搬送方向において上記記録位置より上流側又は下流側であり、かつ上記開口の外側から筐体の内部側を視たときに上記搬送路より手前側に配置され、
上記保護部材は、上記搬送方向において上記被検出部材より上記記録位置側に配置されており、透光性を有する素材からなるものである画像記録装置。
【請求項８】
上記キャリッジは、インクジェット方式の画像形成手段を搭載して、上記ガイド手段に対して摺動されるものであり、
上記キャリッジの移動方向から視たときに、上記ガイド手段と上記保護部材とを結ぶ線が、上記被検出部材より上記記録位置側に配置されている請求項１から７のいずれかに記載の画像記録装置。
【発明の詳細な説明】
【技術分野】
【０００１】
本発明は、筐体にジャム処理用の開口が設けられ、その開口を通じて被記録媒体が取り出される画像記録装置に関する。
【背景技術】
【０００２】
従来より、被記録媒体に画像記録を行う画像記録装置として、インクジェット方式やレーザ方式のプリンタが知られている。これらプリンタでは、トレイやカセットに貯えられた記録用紙が搬送され、インクジェット方式やレーザ方式の記録手段によって記録用紙に所望の画像が記録される。このような画像記録における記録用紙の搬送に際して、様々な原因から紙詰まりが生じうる。この紙詰まりは、ジャムとも称されている。
【０００３】
プリンタ内においてジャムが生じると、詰まった記録用紙を取り出す作業が必要となる。この作業は、ジャム処理とも称されている。ジャム処理において、プリンタ内部へアクセスするために、プリンタの筐体にはジャム処理用の開口が設けられている。一般に、この開口は、ジャム処理を行わないときには、異物や塵埃などの侵入を防止することや、プリンタの動作部分を保護することを目的として、扉などにより封止される。
【０００４】
インクジェット方式のプリンタにおける動作部分として、例えばキャリッジが知られている（特許文献１）。キャリッジは、インクジェット方式の記録ヘッドを搭載して、記録用紙が搬送される方向と直交する方向へ往復動される。この往復動の間に、記録ヘッドからインク滴が選択的に噴出されて記録用紙に着弾し、その記録用紙に画像が形成される。キャリッジの往復動は、ガイド部材により所定の方向へ案内される。また、キャリッジの走査位置を検出することを目的として、光学センサにより読取可能なエンコーダストリップが設けられている。
【０００５】
特許文献２には、エンコーダスケール（エンコーダストリップ）にインクミストが降り注いで付着することを防止するために、エンコーダスケールの上方から見るとエンコーダスケールの側面が隠れるような屋根形状のシールド手段が設けられた構成が開示されている。
【０００６】
【特許文献１】特開２００７−１７６１２１号公報
【特許文献２】特開２００５−２１２３２４号公報
【発明の開示】
【発明が解決しようとする課題】
【０００７】
例えば、キャリッジ付近においてジャムが発生すると、プリンタは動作を中断して、ジャムの発生をエラー表示などによって告知する。告知を受けたユーザは、キャリッジ付近に詰まった記録用紙を筐体の開口を通じて外部へ取り出す。インクジェット方式のプリンタであれば、取り出される記録用紙には未だ完全に乾燥していないインクが付着しているおそれがある。また、キャリッジを案内するガイド部材にグリスなどが塗られていると、そのグリスが記録用紙に付着しているおそれがある。未乾燥のインクやグリスなどが付着した記録用紙を筐体の開口から取り出す際に、その記録用紙がエンコーダストリップのような光学的に検出される部材と接触すると、インクやグリスがエンコーダストリップに付着することがある。そうすると、インクやグリスによりエンコーダストリップが汚れて、エンコーダストリップの光学パターンが正確に検出されないという不具合が生じうる。
【０００８】
また、エンコーダストリップ（エンコーダスケール）には、特許文献１，２に示されるような光学パターンを有するもののほか、磁気パターンや静電パターンを有するものがある。このような磁気パターンや静電パターンを有するエンコーダストリップにおいても、インクやグリスの付着によって磁気パターンや静電パターンの特性が変化し、これらパターンは正確に検出されないという不具合が生じうる。
【０００９】
一方、ジャム処理用の筐体の開口からエンコーダストリップが露出されないようにすれば、開口を通じて取り出される記録用紙がエンコーダストリップに接触し難くなる。しかし、エンコーダストリップを露出させないために、筐体における開口の配置が制限されたり、大きな開口を設けることができなくなったりするので、ジャム処理の作業性が悪くなる。また、インクや塵埃がエンコーダストリップに付着した場合には、エンコーダストリップを清掃する必要があるが、筐体の開口からエンコーダストリップが露出されないと、清掃などのメンテナンス作業の際に、ジャム処理用の開口を通じてエンコーダストリップを視認することや、エンコーダストリップにアクセスすることが難しい。
【００１０】
仮に、特許文献２に開示されているシールド手段を設けたとしても、エンコーダストリップの下方から取り出される記録用紙に対して、シールド手段がエンコーダストリップを保護することができない。また、上方から見れば、シールド手段がエンコーダストリップを隠すので、メンテナンスの際にエンコーダストリップを視認し難いという問題が生じる。
【００１１】
本発明は、かかる事情に鑑みてなされたものであり、ジャム処理の際に被検出部材が汚れることを防止し、かつ、ジャム処理や被検出部材のメンテナンスの作業性に優れた画像記録装置を提供することを目的とする。
【課題を解決するための手段】
【００１２】
(1)  本発明にかかる画像記録装置は、筐体と、上記筐体の中で搬送路に沿って被記録媒体を搬送方向へ搬送する搬送手段と、上記筐体に設けられ、上記搬送路に詰まった被記録媒体を除去するために用いられる開口と、上記搬送路より上記開口側に配置されて、上記搬送方向と直交する方向へ延出されたガイド手段と、上記ガイド手段に沿って移動可能に設けられたキャリッジと、上記キャリッジに搭載されて、上記搬送路における記録位置において被記録媒体に対して画像を形成する画像形成手段と、上記キャリッジの移動方向に対する変位検出パターンを有し、上記ガイド手段に沿って配置されて少なくとも一部が上記開口から露出された被検出部材と、上記キャリッジの移動に伴って上記被検出部材に対して相対移動しつつ、上記変位検出パターンを読み取る検出手段と、上記被検出部材を保護する保護部材と、を具備する。そして、上記被検出部材は、上記搬送方向において上記記録位置より上流側又は下流側であり、かつ上記ガイド部材より上記開口側に配置され、上記保護部材は、上記搬送方向において上記被検出部材より上記記録位置側に配置され、かつ上記搬送方向において上記被検出部材と異なる位置に配置されたものである。
【００１３】
(2)  また、本発明にかかる画像記録装置は、筐体と、上記筐体の中で搬送路に沿って被記録媒体を搬送方向へ搬送する搬送手段と、上記筐体に設けられ、上記搬送路に詰まった被記録媒体を除去するために用いられる開口と、上記搬送方向と直交する方向へ延出されたガイド手段と、上記ガイド手段に沿って移動可能に設けられたキャリッジと、上記キャリッジに搭載されて、上記搬送路における記録位置において被記録媒体に対して画像を形成する画像形成手段と、上記キャリッジの移動方向に対する変位検出パターンを有し、上記ガイド手段に沿って配置されて少なくとも一部が上記開口から露出された被検出部材と、上記キャリッジの移動に伴って上記被検出部材に対して相対移動しつつ、上記変位検出パターンを読み取る検出手段と、上記被検出部材を保護する保護部材と、を具備する。そして、上記被検出部材は、上記搬送方向において上記記録位置より上流側又は下流側であり、かつ上記開口の外側から筐体の内部側を視たときに上記搬送路より手前側に配置され、上記保護部材は、上記搬送方向において上記被検出部材より上記記録位置側に配置されており、上記開口の外側から筐体の内部側を視たときに、上記被検出部材と重複しない位置に設けられたものである。
【００１４】
画像記録装置は、いわゆるプリンタや複合機である。画像記録装置の筐体の内部において、搬送路に沿って被記録媒体が搬送され、記録位置において被記録媒体に画像記録が行われる。被記録媒体が搬送されるときや画像記録が行われるときに、被記録媒体が詰まること、つまりジャムが生じることがある。装置の筐体には、ジャム処理のために開口が設けられており、この開口を通じて装置の外部から内部へアクセス可能となる。
【００１５】
筐体の内部にはガイド手段に沿って被検出部材が設けられている。被検出部材は、変位検出パターンを有する。この変位検出パターンは、例えば、光学的に検出可能なパターンや、磁気的に検出可能なパターン、静電的に検出可能なパターンなどがあげられる。この変位検出パターンが、検出手段に読み取られて、ガイド手段に沿って移動するキャリッジの位置が判断される。
【００１６】
被検出部材は、搬送方向において記録位置より上流側又は下流側に配置されている。したがって、筐体の開口の外側から内部を視たときに、記録位置付近と被検出部材とが重複しない。また、被検出部材は、筐体の開口の外側から内部を視たときに、搬送路より手前側にあり、かつ少なくとも一部が筐体の開口から露出されている。これにより、開口を通じて、被検出部材が容易に視認され、また、被検出部材へのアクセスが容易である。
【００１７】
保護部材は、搬送方向において被検出部材より記録位置側に配置されている。したがって、記録位置付近から開口を通じて被記録媒体が取り出されるときに、被記録媒体が通過する側に対して近い位置に保護部材があり、遠い位置に被検出部材があることとなる。これにより、開口を通じて筐体の内部から取り出される被記録媒体は、被検出部材より先に保護部材に接触するので、被検出部材に接触し得ない。
【００１８】
開口の外側から視たときに、保護部材が被検出部材を隠さないので、被検出部材のメンテナンスに際して、開口を通じて被検出部材を視認することが容易である。
【００１９】
(3)  上記保護部材は、上記被検出部材に接触しない程度に撓むものであってもよい。
【００２０】
保護部材が撓むことにより、被検出部材のメンテナンスに際して、保護部材との間隙を拡げることができる。
【００２１】
(4)  上記保護部材は、平帯形状の長尺部材であって、その表裏面のいずれか一方を上記開口に対向させ、かつ表裏面の幅方向とほぼ同じ第１方向に間隙を有して上記被検出部材と並列に配置されたものであってもよい。
【００２２】
平帯形状の長尺部材は、表裏面方向へ撓みやすいが、幅方向へは撓みにくい。長尺部材が、その表裏面のいずれか一方を開口に対向させて配置されることにより、保護部材は開口に対して接離する方向へ撓みやすくなる。一方、長尺部材が、その表裏面の幅方向とほぼ同じ第１方向に間隙を有して被検出部材と並列に配置されることにより、保護部材は被検出部材に対して接離する方向へ撓みにくくなる。これにより、被検出部材のメンテナンスに際しては、保護部材を撓ませて被検出部材周りの空間を拡げることができ、かつ、開口から被記録媒体が取り出される際には、被記録媒体が接触しても、保護部材が被検出部材と接触することがない。また、開口の外側から被検出部材を視たときに、保護部材と重複しないので、メンテナンスの際に被検出部材を視認することが容易である。
【００２３】
(5)  上記保護部材は、透光性を有する素材からなるものであってもよい。
【００２４】
保護部材が透光性を有するので、保護部材を通じて筐体の内部を視認することができる。
【００２５】
(6)  本発明にかかる画像記録装置は、筐体と、上記筐体の中で搬送路に沿って被記録媒体を搬送方向へ搬送する搬送手段と、上記筐体に設けられ、上記搬送路に詰まった被記録媒体を除去するために用いられる開口と、上記搬送方向と直交する方向へ延出されたガイド手段と、上記ガイド手段に沿って移動可能に設けられたキャリッジと、上記キャリッジに搭載されて、上記搬送路における記録位置において被記録媒体に対して画像を形成する画像形成手段と、上記キャリッジの移動方向に対する変位検出パターンを有し、上記ガイド手段に沿って配置されて少なくとも一部が上記開口から露出された被検出部材と、上記キャリッジの移動に伴って上記被検出部材に対して相対移動しつつ、上記変位検出パターンを読み取る検出手段と、上記被検出部材を保護する保護部材と、を具備する。上記被検出部材は、上記搬送方向において上記記録位置より上流側又は下流側であり、かつ上記開口の外側から筐体の内部側を視たときに上記搬送路より手前側に配置され、上記保護部材は、上記搬送方向において上記被検出部材より上記記録位置側に配置されており、上記被検出部材に接触しない程度に撓む平帯形状の長尺部材であって、その表裏面のいずれか一方を上記開口に対向させ、かつ表裏面の幅方向とほぼ同じ第１方向に間隙を有して上記被検出部材と並列に配置されたものである。
【００２６】
(7)  本発明にかかる画像記録装置は、筐体と、上記筐体の中で搬送路に沿って被記録媒体を搬送方向へ搬送する搬送手段と、上記筐体に設けられ、上記搬送路に詰まった被記録媒体を除去するために用いられる開口と、上記搬送方向と直交する方向へ延出されたガイド手段と、上記ガイド手段に沿って移動可能に設けられたキャリッジと、上記キャリッジに搭載されて、上記搬送路における記録位置において被記録媒体に対して画像を形成する画像形成手段と、上記キャリッジの移動方向に対する変位検出パターンを有し、上記ガイド手段に沿って配置されて少なくとも一部が上記開口から露出された被検出部材と、上記キャリッジの移動に伴って上記被検出部材に対して相対移動しつつ、上記変位検出パターンを読み取る検出手段と、上記被検出部材を保護する保護部材と、を具備する。上記被検出部材は、上記搬送方向において上記記録位置より上流側又は下流側であり、かつ上記開口の外側から筐体の内部側を視たときに上記搬送路より手前側に配置され、上記保護部材は、上記搬送方向において上記被検出部材より上記記録位置側に配置されており、透光性を有する素材からなるものである。
【００２７】
(8)  上記キャリッジは、インクジェット方式の画像形成手段を搭載して、上記ガイド手段に対して摺動されるものであり、上記キャリッジの移動方向から視たときに、上記ガイド手段と上記保護部材とを結ぶ線が、上記被検出部材より上記記録位置側に配置されていてもよい。
【００２８】
キャリッジをガイドに沿って円滑に摺動させるために、ガイドにグリスなどが塗られても、そのグリスが被記録媒体を介して被検出部材に付着することが防止される。また、記録位置付近から開口を通じて取り出される被記録媒体の通路（線）が、ガイド手段と保護部材とを結ぶ線より被検出部材側とならないので、被記録媒体を介してインクやグリスが被検出部材に付着することが確実に防止される。また、開口を通じて取り出される被記録媒体に未乾燥のインクがあっても、そのインクが被検出部材に付着することが防止される。
【発明の効果】
【００２９】
本発明にかかる画像記録装置によれば、筐体の開口から被検出部材が露出され、かつ搬送路より手前側に配置されているので、その開口を通じて被検出部材をメンテナンスすることが容易である。また、被検出部材に対して、開口を通じて取り出される被記録媒体が通過する側に保護部材が設けられているので、開口を通じて筐体の内部から取り出される被記録媒体は、被検出部材より先に保護部材に接触し、被検出部材に接触し得ない。これにより、ジャム処理の際に被検出部材が汚れることが防止される。
【発明を実施するための最良の形態】
【００３０】
以下、適宜図面を参照して本発明の実施形態を説明する。なお、本実施形態では、本発明にかかる画像記録装置の一例として複合機１０が示されているが、本発明の実施態様が複合機１０に限定されず、本発明の要旨を変更しない範囲で、実施形態が適宜変更できることは言うまでもない。
【００３１】
［図面の説明］
図１は、本発明の実施形態にかかる複合機１０の外観構成を示す斜視図である。図２は、スキャナ部１２の筐体１６が回動されてジャム処理用開口１７が露出された状態の複合機１０を示す斜視図である。図３は、プリンタ部１１の外観構成を示す上面図である。図４は、図３におけるＩＶ−ＩＶ断面を示す断面図である。図５は、プリンタ部１１の内部構成を示す斜視図である。なお、図３から図５において、スキャナ部１２は省略されている。図６は、図４において二点鎖線で囲まれた領域ＶＩの拡大図である。図７は、図５における一部拡大図である。図８は、図３において二点鎖線で囲まれた領域ＶＩＩＩの拡大図である。図９は、複合機１０の制御部７０の構成を示すブロック図である。図１０は、変形例にかかる保護ストリップ６８を示す図である。
【００３２】
［複合機１０の概略構成］
図１に示されるように、複合機１０は、プリンタ部１１とスキャナ部１２とを一体的に備え、プリント機能、スキャン機能、コピー機能、ファクシミリ機能を有する。プリンタ部１１が本発明にかかる画像記録装置に相当する。なお、プリンタ部１１以外の機能は任意であり、例えば、スキャナ部１２がなく、スキャン機能やコピー機能を有しない単機能のプリンタとして本発明にかかる画像記録装置が実施されてもよい。
【００３３】
複合機１０には、下側にプリンタ部１１が配置され、上側にスキャナ部１２が配置されている。プリンタ部１１は、主にコンピュータなどの外部情報機器と接続されて、外部情報機器から送信された画像データや文書データを含む印刷データに基づいて、被記録媒体に画像や文字を記録する。スキャナ部１２は、所謂フラットベッドスキャナである。
【００３４】
複合機１０は、高さ（矢印１０２）より横幅（矢印１０１）及び奥行き（矢印１０３）が大きい幅広薄型の概ね直方体の外形である。複合機１０の外形は、主として、プリンタ部１１の筐体１５と、スキャナ部１２の筐体１６とから構成される。図２に示されるように、スキャナ部１２の筐体１６は、プリンタ部１１の筐体１５と背面側においてヒンジ構造により回動可能に連結されており、筐体１６は、筐体１５に対して上下方向に回動可能である。この筐体１６の回動方向が矢印１０６で示されている。筐体１６が上側に回動されると、筐体１５の上面とともにジャム処理用開口１７（図３参照）が露出される。
【００３５】
プリンタ部１１の筐体１５には、正面に開口１３が設けられている。開口１３の内部には、第１給紙カセット２０及び第２給紙カセット２１が第１給紙カセット２０を上側として上下二段に設けられている。第１給紙カセット２０の上面２２は、排紙トレイとして機能する。第１給紙カセット２０又は第２給紙カセット２１に収容された記録用紙が、プリンタ部１１の内部へ給送されて所望の画像が記録され、画像記録後の記録用紙が第１給紙カセット２０の上面２２へ排出される。
【００３６】
プリンタ部１１の筐体１５の正面上部には、操作パネル１４が設けられている。操作パネル１４において、プリンタ部１１及びスキャナ部１２に所望の動作をさせるための所定の入力が行われる。操作パネル１４は、入力を行うための複数のボタンや、複合機１０の状態やエラー表示などを行うためのディスプレイを有する。なお、複合機１０に外部情報機器が接続されていると、外部情報機器からプリンタドライバやスキャナドライバなどの通信ソフトを通じて送信される指示に基づいても、複合機１０は動作する。
【００３７】
［プリンタ部１１］
図４に示されるように、複合機１０の最も底側に第２給紙カセット２１が設けられている。第１給紙カセット２０は、第２給紙カセット２１の上側に上下二段に配置されている。第１給紙カセット２０又は第２給紙カセット２１と第１給紙カセット２０の上面２２とは、第１用紙搬送路２３又は第２用紙搬送路２４によって記録用紙などの被記録媒体が搬送可能にそれぞれ連続されている。第１給紙カセット２０に収容された記録用紙は、第１用紙搬送路２３により下方から上方へＵターンするように案内されて画像記録ユニット４０へ搬送され、画像記録ユニット４０により画像記録が行われた後、第１給紙カセット２０の上面２２へ排出される。第２給紙カセット２１に収容された記録用紙は、第２用紙搬送路２４により下方から上方へＵターンするように案内されて画像記録ユニット４０へ搬送され、画像記録ユニット４０により画像記録が行われた後、第１給紙カセット２０の上面２２へ排出される。
【００３８】
第１給紙カセット２０は、装置背面側の一部が開口された容器形状であり、その内部空間に、記録用紙などのシート形状の被記録媒体が積層状態で収容される。第１給紙カセット２０には、例えば、Ａ３サイズ以下のＡ４サイズ、Ｂ５サイズ、はがきサイズ等の各種サイズの記録用紙が収容可能である。第１給紙カセット２０の上面２２は、装置正面側に設けられており、この上面２２を排紙トレイとして記録用紙が排出される。
【００３９】
第２給紙カセット２１は、装置背面側の一部が開口された容器形状であり、その内部空間に、記録用紙などのシート形状の被記録媒体が積層状態で収容される。第２給紙カセット２１には、例えば、Ａ３サイズ以下のＡ４サイズ、Ｂ５サイズ、はがきサイズ等の各種サイズの記録用紙が収容可能である。第２給紙カセット２１に、第１給紙カセット２０に装填された被記録媒体とサイズや種類が異なる被記録媒体が装填されることにより、被記録媒体を入れ換える作業を行うことなく、２種類の被記録媒体に選択的に画像記録が行われる。
【００４０】
なお、第１給紙カセット２０又は第２給紙カセット２１のいずれから記録用紙が給送されても、画像記録ユニット４０による画像記録動作はほぼ同じなので、本実施形態においては、第２給紙カセット２１から記録用紙が給紙される機構のみが詳細に説明され、第１給紙カセット２０から記録用紙が給紙される機構については詳細な説明が省略される。
【００４１】
第２給紙カセット２１の装置奥部側には、給紙ローラ２５が設けられている。給紙ローラ２５は、第２給紙カセット２１に積載された記録用紙を第２用紙搬送路２４へ供給する。給紙ローラ２５は、ＬＦモータ７７（図９参照）から駆動伝達されて回転する。給紙ローラ２５は、給紙アーム２６の先端に回転可能に支持されている。給紙アーム２６は、給紙ローラ２５側を回動先端として回動可能であり、この回動により、給紙ローラ２５が第２給紙カセット２１に接離する方向へ上下動する。給紙アーム２６は、給紙ローラ２５の重量又はバネなどに付勢されて下側へ回動されており、第２給紙カセット２１に収容された記録用紙の量に応じて上側へ移動する。これにより、給紙ローラ２５が第２給紙カセット２１における最上位置の記録用紙に接触する。その状態で給紙ローラ２５が回転されると、給紙ローラ２５のローラ面と記録用紙との間の摩擦力により、最上位置の記録用紙が第２用紙搬送路２４へ送り出される。
【００４２】
第２用紙搬送路２４は、第２給紙カセット２１の装置奥部側から上方へ延び、続いて装置正面側へ湾曲して、複合機１０の背面側から正面側（矢印１０３）へ延び、画像記録ユニット４０を経て第１給紙カセット２０の上面２２へ通じている。つまり、第２用紙搬送路２４は、図４において横向き略Ｕ字形状である。第２用紙搬送路２４は、画像記録ユニット４０などが配設されている箇所以外は、所定間隔で対向する外側ガイド面と内側ガイド面とから構成されている。例えば、装置奥部側において第２用紙搬送路２４が湾曲している部分は、装置フレームなどに固定された外側ガイド部材１８と内側ガイド部材１９とによって構成されている。
【００４３】
なお、本明細書においては詳細な説明が省略されるが、第１給紙カセット２０においても、給紙ローラ２５及び給紙アーム２６と同様の部材が設けられ、第１給紙カセット２０に積載された記録用紙が第１用紙搬送路２３へ供給される。なお、図４においては、第１給紙カセット２０に対応して設けられた給紙ローラ及び給紙アームが現れていない。
【００４４】
また、第１用紙搬送路２３は、第２用紙搬送路２４と同様に、図４において横向き略Ｕ字形状に構成されて、第１給紙カセット２０から画像記録ユニット４０を経て第１給紙カセット２０の上面２２へ通じているが、画像記録ユニット４０より搬送方向上流側において第２用紙搬送路２４と合流して一つの搬送パスを形成している。第１用紙搬送路２３も、所定間隔で対向する外側ガイド面と内側ガイド面とから構成されており、例えば、第２用紙搬送路２４を構成する内側ガイド部材１９が第１用紙搬送路２３の外側ガイド面を構成する。
【００４５】
図６に示されるように、画像記録ユニット４０は、主として記録ヘッド４２とプラテン４３とが所定間隔で対向配置されて構成されている。画像記録ユニット４０の詳細な構成は後述される。
【００４６】
画像記録ユニット４０より搬送方向１０４の上流側には、一対の搬送ローラ６０及びピンチローラ６１が設けられている。ピンチローラ６１は搬送ローラ６０の下側に配置されている。搬送ローラ６０は、ＬＦモータ７７（図９参照）から駆動伝達されて回転する。
【００４７】
ピンチローラ６１は、ホルダ５１によって回転可能に支持されている。同図には詳細に現れていないが、ホルダ５１は、ピンチローラ６１の軸を搬送ローラ６０に接離する方向へ移動可能に支持しており、ホルダ５１に設けられたバネが、ピンチローラ６１の軸を搬送ローラ６０側へ付勢している。これにより、ピンチローラ６１は搬送ローラ６０に圧接しており、搬送ローラ６０及びピンチローラ６１間に記録用紙が進入すると、ピンチローラ６１が搬送ローラ６０から離れる方向へ移動する。このときもピンチローラ６１はバネによって搬送ローラ６０側へ付勢されているので、搬送ローラ６０の回転力が記録用紙へ確実に伝達される。
【００４８】
ホルダ５１は、ホルダ支持部材５２に支持されて、搬送方向１０４に沿って転動可能である。ホルダ支持部材５２の上面は、搬送ローラ６０の軸付近を中心とした円周面をなしている。この上面に二本の円筒コロ５４を介してホルダ５１が支持されている。これにより、ホルダ５１がホルダ支持部材５２の上面に沿って移動可能となる。
【００４９】
図５及び図７に示されるように、搬送ローラ６０の一端側には、ロータリーエンコーダ６５が設けられている。このロータリーエンコーダ６５は、搬送ローラ６０と同軸に設けられて搬送ローラ６０と共に回転するエンコーダディスク６６と透過型の光学センサ６７とからなる。エンコーダディスク６６には、その円周方向に一定間隔で透過部と非透過部とが交互に配置されている。同図には詳細に示されていないが、光学センサ６７は、エンコーダディスク６６へ光を照射する発光素子と、エンコーダディスク６６を介して発光素子と対向配置されて発光素子からの光を受光する受光素子とを具備する。搬送ローラ６０と共にエンコーダディスク６６が回転すると、光学センサ６７の発光素子から照射された光がエンコーダディスク６６の非透過部により一定間隔で遮られる。受光素子は、受光した光強度の強弱に応じた電気的なパルス信号を発信する。このパルス信号に基づいて搬送ローラ６０の回転量が判定される。
【００５０】
第１用紙搬送路２３は、搬送ローラ６０より搬送方向１０４の上流側において第２用紙搬送路２４と合流する。したがって、第１用紙搬送路２３を搬送される記録用紙は、搬送ローラ６０より上流側において第２用紙搬送路２４へ進入する。したがって、第１用紙搬送路２３又は第２用紙搬送路２４のいずれを搬送される記録用紙も、搬送ローラ６０とピンチローラ６１との間に挟持された状態で、搬送ローラ６０の回転により搬送方向１０４へ搬送される。このとき、ピンチローラ６１は、記録用紙の搬送に伴って回転する。
【００５１】
画像記録ユニット４０より搬送方向１０４の下流側には、一対の排紙ローラ６２及び拍車６３が設けられている。拍車６３は排紙ローラ６２の上側に配置されている。拍車６３は、排紙ローラ６２に対して接離可能に設けられており、バネなどの弾性部材に付勢されて排紙ローラ６２に圧接されている。排紙ローラ６２は、ＬＦモータ７７（図９参照）から駆動伝達されて回転する。この排紙ローラ６２の回転は、前述された搬送ローラ６０の回転と同期されている。排紙ローラ６２及び拍車６３は、記録済みの記録用紙を挟持して第１給紙カセット２０の上面２２へ搬送する。
【００５２】
画像記録に際して、搬送ローラ６０及び排紙ローラ６２は、間欠駆動される。間欠駆動とは、所定の目標搬送量に相当する回転量だけ搬送ローラ６０及び排紙ローラ６２が連続して駆動され、目標搬送量に到達すると所定時間だけ回転が停止され、これらを交互に繰り返す駆動方式である。なお、画像記録を行っていない間においては、搬送ローラ６０及び排紙ローラ６２は間欠駆動される必要はない。したがって、画像記録前の給紙の際や、画像記録後の排紙の際には、搬送ローラ６０及び排紙ローラ６２は連続して回転される。この搬送ローラ６０，ピンチローラ６１，排紙ローラ６２及び拍車６３が、本発明における搬送手段に相当する。
【００５３】
［画像記録ユニット４０の構成］
図５から図７に示されるように、画像記録ユニット４０は、主として、キャリッジ４１、記録ヘッド４２、及びプラテン４３により構成されている。記録ヘッド４２が、本発明における画像形成手段に相当する。
【００５４】
図６に示されるように、搬送方向１０４における搬送ローラ６０及びピンチローラ６１と排紙ローラ６２及び拍車６３との間において、キャリッジ４３を上側として第２用紙搬送路２４の上下にキャリッジ４１及びプラテン４３が配置されている。キャリッジ４１は、プラテン４３の上面に対向するようにインクジェット方式の記録ヘッド４２を搭載する。キャリッジ４１は、ＣＲモータ７９（図９参照）から駆動伝達されて、第２用紙搬送路２４の上側において、搬送方向１０４と直交する水平方向（図５における紙面に垂直な方向）へ往復動する。
【００５５】
図５及び図７に示されるように、記録ヘッド４２には、複合機１０内において記録ヘッド４２と独立して配置されたインクカートリッジからインクチューブ４４を通じてシアン（Ｃ）・マゼンタ（Ｍ）・イエロー（Ｙ）・ブラック（Ｂｋ）の各色インクが供給される。記録ヘッド４２の下面はプラテン４３の上面と対向しており、記録ヘッド４２の下面には、各色のインク滴をそれぞれ噴出するための複数のノズルが形成されている。キャリッジ４１が往復動される間に、記録ヘッド４２の各ノズルから各色インクが微小なインク滴として選択的に噴出されることにより、プラテン４３上を搬送される記録用紙に画像記録が行われる。なお、図５及び図７には、各色のインクを貯蔵した各インクカートリッジは示されていない。
【００５６】
図７に示されるように、第２用紙搬送路２４の上側において搬送方向１０４に所定距離が隔てられて、一対のガイドレール４５，４６が搬送方向１０４と交差する水平方向に延設されている。ガイドレール４５，４６は、プリンタ部１１の筐体１５内に設けられて、プリンタ部１１を構成する各部材を支持するフレームの一部を構成している。ガイドレール４５，４６を跨ぐようにしてキャリッジ４１が載置され、キャリッジ４１がガイドレール４５，４６の延出方向にスライド可能である。
【００５７】
ガイドレール４６の搬送方向１０４上流側の縁部４７は、上方へ向かって略直角に曲折されている。ガイドレール４５，４６に担持されたキャリッジ４１は、縁部４７をローラ対等の挟持部材により摺動可能に挟持する。これにより、キャリッジ４１は、記録用紙の搬送方向１０４に対して位置決めされ、且つ、搬送方向１０４と交差する水平方向（矢印１０１と同方向）に摺動可能になる。つまり、キャリッジ４１は、ガイドレール４５，４６上に摺動自在に担持され、ガイドレール４６の縁部４７を基準として、搬送方向１０４と交差する水平方向へ往復動する。これらガイドレール４５，４６において縁部４７などのキャリッジ４１が摺動する箇所には、グリスが塗布されてもよい。ガイドレール４６の縁部４７が、本発明におけるガイド手段に相当する。
【００５８】
ガイドレール４６の上面には、ベルト駆動機構３０が設けられている。ベルト駆動機構３０は、第２用紙搬送路２４の幅方向（矢印１０１と同方向）の両端付近にそれぞれ設けられた駆動プーリ３１と従動プーリ３２との間に、内側に歯が設けられた無端環状のベルト３３が張架されてなる。駆動プーリ３１の軸にはＣＲモータ７９から駆動力が入力される。駆動プーリ３１の回転により、ベルト３３が周運動する。
【００５９】
図６に示されるように、キャリッジ４１は、その底面側に設けられた挟持部４８がベルト３３を挟み持つことにより、ベルト３３と連結されている。ベルト３３が周運動すると、キャリッジ４１が縁部４７を基準としてガイドレール４５，４６上を往復動する。キャリッジ４１に搭載された記録ヘッド４２も、キャリッジ４１と共に第２用紙搬送路２４の幅方向へ往復動する。
【００６０】
ガイドレール４６には、リニアエンコーダ３４（図９参照）のエンコーダストリップ３５が配設されている。エンコーダストリップ３５はキャリッジ４１の位置検出に用いられるものであり、本発明における被検出部材に相当する。ガイドレール４６の幅方向（矢印１０１と同方向）の両端には、その上面から起立する一対の支持部３６，３７が設けられている。平帯形状のエンコーダストリップ３５は、その両端部が支持部３６，３７にそれぞれ係止されて、キャリッジ４１の往復動方向に沿って架設されている。支持部３７は、ガイドレール４６に対して幅方向の内側へ倒伏可能に設けられており、コイルバネバネ３８によって起立する方向へ付勢されている。図７に示されるように、支持部３７がガイドレール４６に対して起立した状態において、エンコーダストリップ３５に対して長手方向の張力が作用し、エンコーダストリップ３５が支持部３６，３７間に弛みなく張架される。エンコーダストリップ３５に外力が作用すると、コイルバネ３８の付勢に抗して支持部３７がガイドレール４６に対して倒伏する方向へ回動され、エンコーダストリップ３５に撓みが生じうる。
【００６１】
エンコーダストリップ３５は、幅（図５における矢印１０２方向）が比較的狭く、厚み（図５におけう矢印１０３方向）の薄い平帯形状であり、例えば、透光性を有するプラスチックからなる。エンコーダストリップ３５には、光を透過させる透光部と光を遮断する遮光部とが、所定ピッチで長手方向に交互に配置された変位検出パターンが記されている。換言すれば、透光性のエンコーダストリップ３５に、幅方向に渡るラインである遮光部が長手方向に所定間隔で記されている。キャリッジ４１の上面においてエンコーダストリップ３５に対応する位置には、透過型センサである光学センサ４９が設けられている。光学センサ４９は、キャリッジ４１とともにエンコーダストリップ３５の長手方向に沿って往復動し、その往復動の際にエンコーダストリップ３５の変位検出パターンを検知する。各図には現れていないが、キャリッジ４１には、インクの噴出を制御するヘッド制御基板８１（図９参照）が設けられている。ヘッド制御基板８１は、光学センサ４９の検知信号に基づくパルス信号を出力し、このパルス信号に基づいてキャリッジ４１の位置が判断されて、キャリッジ４１の往復動が制御される。光学センサ４９が、本発明における検出手段に相当する。
【００６２】
第２用紙搬送路２４の下側には、記録ヘッド４２と対向してプラテン４３が配設されている。プラテン４３は、キャリッジ４１が往復動する範囲のうち、記録用紙が通過する中央部分に渡って配設されている。プラテン４３の上面５０のうちの大部分が、記録ヘッド４２と対向する。この上面５０の幅は、プリンタ部１１において使用可能な記録用紙の最大幅より十分に幅広である。プラテン４３の上面５０に支持された記録用紙は、記録ヘッド４２との距離が一定に保持される。このプラテン４３の上面５０が、本発明における記録位置に相当する。前述されたように、エンコーダストリップ３５はガイドレール４６上に配置されており、搬送方向１０４において、プラテン４３の上面５０より下流側となる。
【００６３】
前述されたように、搬送ローラ６０及び排紙ローラ６２が停止されている間にキャリッジ４１が往復動される。このキャリッジ４１の往復動の間に、記録ヘッド４２の複数のノズルから各色インクが微小なインク滴として選択的に噴出される。記録ヘッド４２のノズルから噴出されたインク滴は、プラテン４３上に停止された記録用紙に着弾する。
【００６４】
［制御部７０］
以下に、複合機１０の制御部７０の構成が説明される。制御部７０は、プリンタ部１１の動作だけでなくスキャナ部１２の動作をも制御するものであるが、本発明においてはスキャナ部１２は任意の構成なので、本明細書ではスキャナ部１２の動作に関する構成の説明が省略される。
【００６５】
図９に示されるように、制御部７０は、ＣＰＵ（Central Processing Unit）７１，ＲＯＭ（Read Only Memory）７２，ＲＡＭ（Random Access Memory）７３を主として構成されており、バス７５及びＡＳＩＣ（Application Specific Integrated Circuit）７６を介して、スキャナ部１２、操作パネル１４などとデータを送受信可能に接続されている。
【００６６】
ＲＯＭ７２には、複合機１０の各種動作を制御するためのプログラム等が格納されている。例えば、リニアエンコーダ３４やロータリーエンコーダ６５、その他のセンサの検知信号に基づいて、紙詰まり（ジャム）が生じたかを判定するプログラムがＲＯＭ７２に格納されている。例えば、画像記録ユニット４０付近においてジャムが生じると、ＬＦモータ７７を駆動させても搬送ローラ６０が所望の速度で回転しなかったり、ＣＲモータ７９を駆動させてもキャリッジ４１が所望の速度で移動しなかったりする。このようなキャリッジ４１又は搬送ローラ６０の動作の異常をリニアエンコーダ３４やロータリーエンコーダ６５の検知信号に基づいて検知し、ジャムが生じたと判定することができる。
【００６７】
ＲＡＭ７３は、ＣＰＵ７１が上記プログラムを実行する際に用いる各種データを一時的に記録する記憶領域又は作業領域として使用される。
【００６８】
ＡＳＩＣ７６は、ＣＰＵ７１からの指令に従い、ＬＦモータ７７に通電するＰＷＭ信号等を生成して、該信号をＬＦモータ７７の駆動回路７８に付与する。駆動回路７８を介して駆動信号がＬＦモータ７７に通電されることにより、制御部７０によるＬＦモータ７７の回転制御が行われる。
【００６９】
駆動回路７８は、給紙ローラ２５、搬送ローラ６０、及び排紙ローラ６２に接続されたＬＦモータ７７を駆動させものである。駆動回路７８は、ＡＳＩＣ７６からの出力信号を受けて、ＬＦモータ７７を回転するための電気信号を形成する。該電気信号を受けてＬＦモータ７７が回転する。ＬＦモータ７７の回転がギアや駆動軸等からなる周知の駆動機構を介して、給紙ローラ２５、搬送ローラ６０、及び排紙ローラ６２へ伝達される。
【００７０】
ＡＳＩＣ７６は、ＣＰＵ７１からの指令に従い、ＣＲモータ７９に通電するＰＷＭ信号等を生成して、該信号をＣＲモータ７９の駆動回路８０に付与する。駆動回路８０を介して駆動信号がＣＲモータ７９に通電されることにより、制御部７０によるＣＲモータ７９の回転制御が行われる。
【００７１】
駆動回路８０は、キャリッジ４１に接続されたＣＲモータ７９を駆動させるものである。駆動回路８０は、ＡＳＩＣ７６からの出力信号を受けて、ＣＲモータ７９を回転するための電気信号を形成する。該電気信号を受けてＣＲモータ７９が回転する。ＣＲモータ７９の回転がベルト駆動機構を介してキャリッジ４１へ伝達されことにより、キャリッジ４１がスライドされる。
【００７２】
ヘッド制御基板８１は、記録ヘッド４２から所定のタイミングで各色インクを記録用紙に対して選択的に噴出させるものである。ＣＰＵ７１から出力される駆動制御手順に基づいてＡＳＩＣ７６が出力信号を生成する。ヘッド制御基板８１は、この出力信号を受けて、記録ヘッド４２を駆動制御する。
【００７３】
ＡＳＩＣ７６には、搬送ローラ６０の回転量を検出するロータリーエンコーダ６５、キャリッジ４１の位置検知を行うリニアエンコーダ３４が接続されている。キャリッジ４１は、複合機１０の電源オンにより、ガイドレール４５，４６の一方の端まで移動されて、リニアエンコーダ３４による検知位置が初期化される。この初期位置から、キャリッジ４１がガイドレール４５，４６上を移動すると、キャリッジ４１に設けられた光学センサ４９がエンコーダストリップ３５のパターンを検知し、これに基づくパルス信号数をキャリッジ４１の移動量として制御部７０が把握する。制御部７０は、この移動量に基づいてキャリッジ４１の往復動を制御すべく、ＣＲモータ７９の回転を制御する。
【００７４】
また、ＡＳＩＣ７６には、操作パネル１４が接続されている。操作パネル１４において入力されたプリンタ部１１の動作指示や記録用紙の種類、サイズ、記録画像の解像度、記録用紙における余白、縁なし印刷の指示などは、ＡＳＩＣ７６及びバス７５を通じてＲＡＭ７３に種類情報や、各種設定情報として格納される。また、制御部７０は、ジャムが生じたと判定したときに、その旨を操作パネル１４に表示させる。この表示に基づいて、ユーザはジャム処理をすべきことを知りうる。
【００７５】
また、ＡＳＩＣ７６には、インタフェース（Ｉ／Ｆ）８２が接続されている。インタフェース８２を介して制御部７０は、外部情報機器とデータを送受信することができる。外部情報機器とは、例えば、プリンタドライバがインストールされたコンピュータなどである。つまり、プリンタ部１１を動作する際に入力される記録用紙の種類などは、操作パネル１４から入力されても外部情報機器のプリンタドライバから入力されてもよい。
【００７６】
［ジャム処理用開口１７］
図３及び図４に示されるように、プリンタ部１１の筐体１５における上面には、ジャム処理用開口１７が形成されている。筐体１５は、高さ方向（矢印１０２）に薄い略６面体であり、その上面は略長方形である。筐体１５の上面における奥行き方向（矢印１０３）の中央より若干背面側に、幅方向（矢印１０１）に長い長方形のジャム処理用開口１７が形成されている。
【００７７】
ジャム処理用開口１７は、図１に示されるように、スキャナ部１２の筐体１６がプリンタ部１１の筐体１５に対して閉じられているときには、筐体１６により塞がれて、複合機１０の外部に対して完全に隠される。そして、図２に示されるように、スキャナ部１２の筐体１６がプリンタ部１１の筐体１５に対して上側へ回動されて開かれると、ジャム処理用開口１７が複合機１０の退部に対して露出される。筐体１５の上面にジャム処理用開口１７が設けられているので、複合機１０を上側から視るとジャム処理用開口１７が視認され、さらに、ジャム処理用開口１７を通じてプリンタ部１１の内部構造の一部が視認される。
【００７８】
図３及び図６に示されるように、ジャム処理用開口１７を通じて、プリンタ部１１の内部構造のうち、エンコーダストリップ３５、キャリッジ４１及びプラテン４３の上面５０などが複合機１０の外部に対して露出される。ジャム処理用開口１７に対してエンコーダストリップ３５を視れば、エンコーダストリップ３５は、ジャム処理用開口１７を幅方向（矢印１０２）へ横断するように露出される。また、エンコーダストリップ３５は、第１用紙搬送路２３及び第２用紙搬送路２４より手前側、つまり、ジャム処理用開口１７に近い側に配置されている。ジャム処理などのメンテナンス作業に際して、ジャム処理用開口１７を通じて、エンコーダストリップ３５、キャリッジ４１及びプラテン４３などにアクセスが可能である。
【００７９】
なお、ジャム処理用開口１７は、主として、ジャム処理、エンコーダストリップ３５の清掃のために用いられるが、ジャム処理用開口１７が他の目的のために用いられてもよいことは言うまでもない。
【００８０】
［保護ストリップ５６］
図６から図８に示されるように、筐体１５には、エンコーダストリップ３５とほぼ並列して、保護ストリップ５６が設けられている。保護ストリップ５６は、エンコーダストリップ３５と同様に、幅（矢印１０３方向）が比較的狭く、厚み（矢印１０２方向）の薄い平帯形状の長尺部材であり、透光性のあるプラスチックからなる。また、保護ストリップ５６の長手方向（矢印１０１方向）の長さは、エンコーダストリップ３５と同程度である。つまり、保護ストリップ５６はエンコーダストリップ３５に沿って設けられており、エンコーダストリップ３５と共に、複合機１０の幅方向（矢印１０１）に横断するようにジャム処理用開口１７から露出されている。保護ストリップ５６が、本発明における保護部材に相当する。
【００８１】
図７に示されるように、保護ストリップ５６の両端には、厚み方向に貫通された孔５７，５８がそれぞれ設けられており、同図には詳細に現れていないが、孔５７には、筐体１５に設けられた係止爪が貫入されて、保護ストリップ５６の一端が筐体１５に固定されている。孔５８には、コイルバネ５９のアームが貫入されている。同図には詳細に現れていないが、このコイルバネ５９は、弾性変形された状態で筐体１５に固定されている。コイルバネ５９により、保護部材５６の他端は、保護ストリップ５６の長手方向外側へ付勢される。これにより、保護ストリップ５６は、コイルバネ５９により張力が付与された状態で筐体１５に対して固定されている。保護ストリップ５６に外力が付与されると、保護ストリップ５６が撓むと共に、コイルバネ５９が弾性変形する。そして、その外力が消失すると、コイルバネ５９に付勢されて、保護ストリップ５６が元の張架状態に復帰する。この保護ストリップ５６の撓みは、保護ストリップ５６の可撓性及びコイルバネ５９の弾性変形度によって、エンコーダストリップ３５と接触しない程度に調整されている。
【００８２】
各図に示されるように、保護ストリップ５６とエンコーダストリップ３５とは、保護ストリップ５６を搬送方向１０４においてプラテン４３の上面５０側、つまり上流側として、搬送方向１０４に間隙が生じるように配置されている。前述されたように、エンコーダストリップ３５は、ガイドレール４６から起立する支持部３６，３７に支持されて、ガイドレール４６の直上に配置されている。換言すれば、図８に示されるように、ジャム処理用開口１７を上側から視れば（正投影）、エンコーダストリップ３５とガイドレール４６とが重複する。保護ストリップ５６も、ガイドレール４６上に配置されているが、ガイドレール４６における縁部４７のほぼ直上に配置されている。換言すれば、ジャム処理用開口１７を上側から視れば、保護ストリップ５６は、ガイドレール４６におけるプラテン４３側の縁部４７付近と重複する。また、ジャム処理用開口１７を上側から視れば、保護ストリップ５６は、エンコーダストリップ３５と重複しない。一方、図６に示されるように、キャリッジ４１の移動方向（矢印１０１）と合致する方向から視れば、つまり側面視において、ガイドレール４６の縁部４７と保護ストリップ５６とを結ぶ仮想直線１０６は、エンコーダストリップ３５よりプラテン４３の上面５０側に位置している。
【００８３】
プラテン４３上を記録用紙が搬送されている際にジャムが生じると、そのジャム処理においては、ガイドレール４５，４６間からプラテン４３上の記録用紙が引き出される。引き出された記録用紙は、そのまま上側へ移動されてジャム処理用開口１７から複合機１０の外部へ取り出される。そのときに、記録用紙がプラテン４３上からジャム処理用開口１７を通過する経路が、図６において矢印１０５で示される。この経路１０５は、仮想直線１０６よりエンコーダストリップ３５側とならない。このように、保護ストリップ５６は、エンコーダストリップ３５に対して、ジャム処理用開口１７を通じて取り出される記録用紙が通過する側（本実施形態では、搬送方向１０４の上流側）に配置されている。また、エンコーダストリップ３５と保護ストリップ５６との高さ方向（矢印１０２）の位置は、ほぼ同じである。
【００８４】
平帯形状の保護ストリップ５６の表裏面の一方は、ジャム処理用開口１７と対向している。つまり、保護ストリップ５６の表裏面の一方は筐体１５の上面と同じ向きである。ここで、保護ストリップ５６の表裏面とは、保護ストリップ５６において対向して最大面積をなす一対の面であり、いずれが表面又は裏面であるかは相対的なものである。そして、保護ストリップ５６の幅方向は搬送方向１０４と一致する。この搬送方向１０４が、本発明における第１方向に相当する。このような保護ストリップ５６の姿勢により、保護ストリップ５６は、表裏面方向つまり複合機１０の上下方向（矢印１０２）に対して撓みやすく、搬送方向１０４に対して撓みにくくなっている。
【００８５】
［本実施形態の作用効果］
前述されたように、プリンタ部１１においてジャムが生じると、スキャナ部１２の筐体１６を上側へ回動することにより、ジャム処理用開口１７が露出され、このジャム処理用開口１７を通じて複合機１０の外部からプリンタ部１１の内部へアクセス可能となる。したがって、ジャム処理を容易に行うことができる。
【００８６】
プリンタ部１１の筐体１５の内部にはエンコーダストリップ３５が設けられており、このエンコーダストリップ３５は、ジャム処理用開口１７を横断するように配置されて、ジャム処理用開口１７から露出されているので、ジャム処理用開口１７を通じてエンコーダストリップ３５を容易に視認できる。したがって、インクミストなどにより汚れたエンコーダストリップ３５を清掃するなど、エンコーダストリップ３５のメンテナンスを容易に行うことができる。
【００８７】
また、エンコーダストリップ３５に沿って保護ストリップ５６が設けられており、この保護ストリップ５６は、エンコーダストリップ３５に対して、ジャム処理の際に記録用紙が通過する経路１０５側に配置されている。したがって、ジャム処理用開口１７を通じて筐体１５の内部から取り出される記録用紙は、エンコーダストリップ３５より先に保護ストリップ５６に接触するので、エンコーダストリップ３５に記録用紙が接触し得ない。これにより、記録用紙に付着した未乾燥のインクや、ガイドレール４５，４６などに塗布されたグリースなどが、記録用紙を介してエンコーダストリップ３５を汚すことがない。
【００８８】
また、保護ストリップ５６は、ジャム処理用開口１７の上側から筐体１５の内部側を視たときに、エンコーダストリップ３５と重複しない位置に設けられているので、保護ストリップ５６によってエンコーダストリップ３５が隠されない。これにより、エンコーダストリップ３５のメンテナンスに際して、ジャム処理用開口１７を通じてエンコーダストリップ３５を視認することが容易である。
【００８９】
また、保護ストリップ５６は、エンコーダストリップ３５に接触しない程度に撓むので、エンコーダストリップ３５のメンテナンスに際して、清掃部材などの大きさに応じて保護ストリップ５６との間隙を拡げることができる。
【００９０】
また、保護ストリップ５６は、平帯形状の長尺部材であって、その表裏面のいずれか一方をジャム処理用開口１７に対向させ、かつ表裏面の幅方向と同じ搬送方向１０４に間隙を有してエンコーダストリップ３５と並列に配置されているので、保護ストリップ５６はジャム処理用開口１７に対して接離する方向へ撓みやすく、かつエンコーダストリップ３５に対して接離する方向へ撓みにくくなる。これにより、エンコーダストリップ３５のメンテナンスに際しては、保護ストリップ５６を撓ませてエンコーダストリップ３５周りの空間を拡げることができ、かつ、ジャム処理用開口１７から記録用紙を取り出す際には、記録用紙が保護ストリップ５６と接触しても、保護ストリップ５６がエンコーダストリップ３５側へ大きく撓んでエンコーダストリップ３５と接触することを防止できる。また、ジャム処理用開口１７の外側からエンコーダストリップ３５を視たときに、エンコーダストリップ３５が保護ストリップ５６と重複しないので、メンテナンスの際にエンコーダストリップ３５を視認することが容易である。
【００９１】
また、保護ストリップ５６は、透光性を有する素材からなるので、ジャム処理用開口１７から保護ストリップ５６を通じて、プラテン４３などの筐体１５の内部を視認することができる。
【００９２】
上記実施形態の変形例として、保護ストリップ５６が、エンコーダストリップ３５と異なる色に着色された態様があげられる。これにより、エンコーダストリップ３５と保護ストリップ５６とを容易に見分けることができるので、エンコーダストリップ３５のメンテナンスの際に、保護ストリップ５６をエンコーダストリップ３５と間違うことが防止される。
【００９３】
また、図１０に示されるように、保護ストリップ５６に代えて、両縁が波形状である平帯形状の保護ストリップ６８が設けられてもよい。これにより、形状によって、エンコーダストリップ３５と保護ストリップ５６とを容易に見分けることができるので、エンコーダストリップ３５のメンテナンスの際に、保護ストリップ５６をエンコーダストリップ３５と間違うことが防止される。
【図面の簡単な説明】
【００９４】
【図１】図１は、本発明の実施形態にかかる複合機１０の外観構成を示す斜視図である。
【図２】図２は、スキャナ部１２の筐体１６が回動されてジャム処理用開口１７が露出された状態の複合機１０を示す斜視図である。
【図３】図３は、プリンタ部１１の外観構成を示す上面図である。
【図４】図４は、図３におけるＩＶ−ＩＶ断面を示す断面図である。
【図５】図５は、プリンタ部１１の内部構成を示す斜視図である。
【図６】図６は、図４において二点鎖線で囲まれた領域ＶＩの拡大図である。
【図７】図７は、図５における一部拡大図である。
【図８】図８は、図３において二点鎖線で囲まれた領域ＶＩＩＩの拡大図である。
【図９】図９は、複合機１０の制御部７０の構成を示すブロック図である。
【図１０】図１０は、変形例にかかる保護ストリップ６８を示す図である。
【符号の説明】
【００９５】
１１・・・プリンタ部（画像記録装置）
１５・・・筐体
１７・・・ジャム処理用開口（開口）
３５・・・エンコーダストリップ（被検出部材）
４１・・・キャリッジ
４２・・・記録ヘッド（画像形成手段）
４７・・・縁部（ガイド手段）
４９・・・光学センサ（検出手段）
５６，６８・・・保護ストリップ（保護部材）
６０・・・搬送ローラ（搬送手段）
６１・・・ピンチローラ（搬送手段）
６２・・・排紙ローラ（搬送手段）
６３・・・拍車（搬送手段）
【図１】
0005012623.tif 000002
【図２】
0005012623.tif 000003
【図３】
0005012623.tif 000004
【図４】
0005012623.tif 000005
【図５】
0005012623.tif 000006
【図６】
0005012623.tif 000007
【図７】
0005012623.tif 000008
【図８】
0005012623.tif 000009
【図９】
0005012623.tif 000010
【図１０】
0005012623.tif 000011